(57)【要約】【課題】  音像の定位、音場の回転を行う際の制御量を抑制し、音響信号毎の音像位置を割り出す際の計算量を抑制し、音場を回転する際の処理時間を削減することができる音声調整卓を提供する。【解決手段】  音声調整卓１は、音源の方向を定位させる制御によって再現される音像を複数混合した音場を、任意の角度に回転させて、複数のスピーカに出力する音声調整卓１であって、操作子３と、方向定位表示器５と、制御部７と、記憶部９と、可変抵抗器１１と、バスライン１３と、混合部１５と、音場回転部１７と、出力部１９と、を備えた。【選択図】      図１
2005223637.tif 000002
【特許請求の範囲】
【請求項１】
音源の方向を定位させる制御によって再現される音像を複数混合した音場を、予め設定した聴取位置からの距離感を維持した状態で任意の角度に回転させて、当該音場を再現する出力音として、複数のスピーカから出力させる音声調整卓であって、
前記音源の位置を示す位置情報に基づいて、当該音源の音像を方向定位させる方向定位手段と、
この方向定位手段で方向定位された音源の音像を、複数混合して音場とする混合手段と、
この混合手段で混合された音場を、前記聴取位置を中心に回転させる音場回転手段と、
この音場回転手段で回転された音場を、複数の前記出力音として、前記スピーカから出力させる出力手段と、
を備えることを特徴とする音声調整卓。
【請求項２】
前記出力音を出力させる間隔をそれぞれ一定に保って、前記音場回転手段によって回転させる前記音場を操作する操作手段を備えることを特徴とする請求項１に記載の音声調整卓。
【請求項３】
音源の方向を定位させる制御によって再現される音像を複数混合した音場を、予め設定した聴取位置からの距離感を維持した状態で任意の角度に回転させて、当該音場を再現する出力音として、複数のスピーカから出力させる音声調整卓であって、
前記音源の位置を示す位置情報に基づいて、当該音源の音像を方向定位させる方向定位手段と、
この方向定位手段で方向定位された音源の音像を、複数混合して音場とする混合手段と、
この混合手段で混合された音場を、前記聴取位置を中心に回転させる音場回転手段と、
この音場回転手段で回転された音場を、複数の前記出力音として、前記スピーカから出力させる出力手段とを備え、
前記音場回転手段は、前記出力音を出力させる間隔を等間隔に保って、前記音場を任意の直線軸上に写像させる機能を有し、この機能によって写像させる音場を操作する操作手段を備えることを特徴とする音声調整卓。
【発明の詳細な説明】
【技術分野】
【０００１】
本発明は、音像を複数混合した音場を回転させて、出力させる音声調整卓に関する。
【背景技術】
【０００２】
従来、左右の出力チャンネルを有する音響信号であるステレオ素材の音像を、サラウンド空間（例えば、５．１ｃｈ等の複数の出力チャンネルから出力される音響信号によって形成される空間）上の任意の場所に定位させる装置（以下、従来の音像定位装置という）や、タイムコードと呼ばれる時間情報に関連付けて、各チャンネルの音響信号（入力信号）の音像位置を記憶させて構成した音場を擬似的に回転させる装置（以下、従来の音場回転装置という）が提案されている（例えば、特許文献１参照）。
【０００３】
ここで、図８を参照して、従来の音場回転装置について説明する。図８は、従来の音場回転装置の音場回転部のブロック図であり、この図８に示すように、音場回転部１０１は、入力された音響信号をパン制御するＰＡＮ（ＰＡＮ回路）１０３と、ＰＡＮ回路１０３でパン制御がなされた音響信号を混合して送出するＢＵＳ（バスライン）１０５とによって構成されている。
【０００４】
この音場回転装置の音場回転部１０１では、入力された音響信号をそれぞれ、ＰＡＮ回路１０３でパン制御した後に、バスライン１０５で混合していた。
【特許文献１】特開２００１−１３６４９１号公報（段落００２０〜００３９、図１）
【発明の開示】
【発明が解決しようとする課題】
【０００５】
しかしながら、従来の音像定位装置、或いは、音場回転装置では、入力される全ての音響信号（入力信号）を、例えば、タイムコード等に基づいて、同期させる必要があるので、音像の定位、または、音場の回転を行う際の制御量が多くなってしまい複雑になるという問題がある。
【０００６】
また、従来の音像定位装置、或いは、音場回転装置で生成された出力音（出力信号）を連動させる場合でも、出力音（出力信号）毎に、音源の位置を示す位置情報（位置データ）から音像位置を割り出さなければならず、計算量が膨大となるという問題がある。
【０００７】
さらに、従来の音場回転装置では、入力される音響信号毎に、当該音響信号の音場を記憶する必要があり、それぞれの音場を個別に回転させて編集する編集時間（処理時間）がかかるという問題がある。
【０００８】
この問題の一例として、従来の音場回転装置を使用して、映像と音響信号とを効果的に関連付けたコンテンツを作成しようとした際に、カメラをパンする等の動作をした場合、この振り向く動作に合わせて、音響信号の音像を複数混合してなる音場を回転させる必要がある。
【０００９】
この音場の回転を、従来の音場回転装置で行う際に活用される回転機能がある。従来の音場回転装置では、この回転機能を活用し、各チャンネルに割り当てられた各サラウンド成分それぞれを、音源の移動（例えば、カメラのパンにより映像中の被写体が移動する等の動作）と共に、タイムコードオートメーション（タイムコードを自動的に付加する処理）により、全て記憶しなければならず、さらに、記憶した全てのサラウンド成分を同時に再現する必要がある。
【００１０】
そこで、本発明では、前記した問題を解決し、音像の定位、音場の回転を行う際の制御量を抑制し、音響信号毎の音像位置を割り出す際の計算量を抑制し、音場を回転する際の処理時間を削減することができる音声調整卓を提供することを目的とする。
【課題を解決するための手段】
【００１１】
前記課題を解決するため、請求項１記載の音声調整卓は、音源の方向を定位させる制御によって再現される音像を複数混合した音場を、予め設定した聴取位置からの距離感を維持した状態で任意の角度に回転させて、当該音場を再現する出力音として、複数のスピーカから出力させる音声調整卓であって、方向定位手段と、混合手段と、音場回転手段と、出力手段と、を備える構成とした。
【００１２】
かかる構成によれば、音声調整卓は、方向定位手段によって、音源の位置を示す位置情報に基づいて、音源の音像を方向定位する。位置情報は、例えば、二次元座標上の（ｘ，ｙ）座標として表される。音源の音像とは、再生した出力音によって、録音時（生成時）に音源の位置していた場所から当該出力音が聞こえてくるようなイメージを指すものであり、音像の定位とは、この出力音が聞こえてくるイメージ、つまり、聞こえてくる方向を決定（設定）することである。続いて、この音声調整卓は、混合手段によって、方向定位手段で定位された音像を複数混合して音場とする。この音場は、複数の音像が独立に或いは干渉しあって形成される音の空間（場所）を指すものである。
【００１３】
そして、この音声調整卓は、音場回転手段によって、混合手段で混合された音場を予め設定した基準点を中心に回転させる。すなわち、従来の音場回転装置では、個々の音像を独立に回転させたものをタイムコードオートメーションにより、混合（合成）していたが、この音声調整卓では、混合手段によって混合した後、つまり、一旦、複数の音像からなる音場とした後に聴取位置を中心に回転させる。この音場の回転は、各スピーカから出力される出力音の音量レベルをそれぞれ調整することで実現される。例えば、簡略に説明すると、聴取位置から右方向に感じられる音場を左回転する場合には、当初聴取位置の右側に位置するスピーカから出力されていた出力音の音量レベルを低下させ、聴取位置の左側に位置するスピーカの出力音の音量レベルを上昇させる。その後、この音声調整卓は、出力手段によって、回転された音場を、複数の出力音として、スピーカそれぞれから出力する。聴取位置とは、出力音を聴取する聴取者の位置のことであり、音場の回転とは、この聴取位置を中心に、任意の角度に回転させることである。
【００１４】
請求項２記載の音声調整卓は、請求項１に記載の音声調整卓において、前記出力音を出力させる間隔をそれぞれ一定に保って、前記音場回転手段によって回転させる前記音場を操作する操作手段を備えることを特徴とする。
【００１５】
かかる構成によれば、音声調整卓の音場回転手段は、操作手段による操作によって、出力音を出力させる箇所（実際には、スピーカの位置）の間隔をそれぞれ一定に保って、当該出力音を出力させる。例えば、実際に出力音を出力する５つのスピーカＡ、Ｂ、Ｃ、Ｄ、Ｅがある場合に、スピーカＡＢ間の間隔ａ、スピーカＢＣ間の間隔ｂ、スピーカＣＤ間の間隔ｃ、スピーカＤＥ間の間隔ｄであった場合、これらａｂｃｄの間隔を維持して音場を回転する。
【００１６】
請求項３記載の音声調整卓は、音源の方向を定位させる制御によって再現される音像を複数混合した音場を、予め設定した聴取位置からの距離感を維持した状態で任意の角度に回転させて、当該音場を再現する出力音として、複数のスピーカから出力させる音声調整卓であって、方向定位手段と、混合手段と、音場回転手段と、出力手段とを備え、前記音場回転手段が、前記出力音を出力させる間隔を等間隔に保って、前記音場を任意の直線軸上に写像させる機能を有し、この機能によって写像させる音場を操作する操作手段を備えることを特徴とする。
【００１７】
かかる構成によれば、音声調整卓は、方向定位手段によって、音源の位置を示す位置情報に基づいて、音源の音像を方向定位する。続いて、この音声調整卓は、混合手段によって、方向定位手段で定位された音像を複数混合して音場とする。そして、この音声調整卓は、音場回転手段によって、混合手段で混合された音場を予め設定した基準点を中心に回転させる。この音声調整卓は、出力手段によって、回転された音場を、複数の出力音として、スピーカそれぞれから出力する。また、音声調整卓の音場回転手段は、音場を任意の直線軸上（例えば、２つのスピーカを結ぶ直線上）に写像させる機能を有し、操作手段による操作によって、出力音を出力させる箇所（実際には、スピーカの位置）の間隔を等間隔に保って、例えば、実際に出力音を出力する５つのスピーカＡ、Ｂ、Ｃ、Ｄ、Ｅがある場合に、スピーカＡＢ間の間隔ａ、スピーカＢＣ間の間隔ｂ、スピーカＣＤ間の間隔ｃ、スピーカＤＥ間の間隔ｄであった場合、これらａｂｃｄの間隔を維持して音場を回転する。
【発明の効果】
【００１８】
請求項１記載の発明によれば、方向定位手段によって、音源の位置を示す位置情報に基づいて、音源の音像が方向定位され、混合手段によって、方向定位手段で定位された音像が複数混合されて音場とされ、音場回転手段によって、混合手段で混合された音場を回転させて、出力手段によって、回転された音場を、複数の出力音として、スピーカそれぞれから出力する。このため、音像の定位をするのに要すのは位置情報だけであり、複数の音像を混合してから音場の回転を行っているので、音像の定位、音場の回転を行う際の制御量を抑制することができる。
【００１９】
請求項２記載の発明によれば、操作手段の操作により、音場回転手段で、一定の間隔に、出力音を出力させる、つまり、各出力音が連動することができ、例えば、一定の法則に従って、音場を回転させられるので、従来よりも少ない操作で音場を回転させることができる。
【００２０】
請求項３記載の発明によれば、方向定位手段によって、音源の位置を示す位置情報に基づいて、音源の音像が方向定位され、混合手段によって、方向定位手段で定位された音像が複数混合されて音場とされ、操作手段の操作により、音場回転手段で、音場を任意の直線上に写像し、等間隔に出力音を出力させる箇所を絞って音場を回転させており、各音像位置が限定されるので、当該音像位置それぞれを割り出す際の計算量を抑制することができ、音場を回転させる際の処理時間を削減することができる。
【発明を実施するための最良の形態】
【００２１】
次に、本発明の実施形態について、適宜、図面を参照しながら詳細に説明する。
（音声調整卓の構成）
図１は、音声調整卓のブロック図である。この図１に示すように、音声調整卓１は、入力された音響信号を処理して、当該音響信号を発している音源の方向定位を行うと共に、当該音源が方向定位された複数の音像を混合して音場を形成させ、この音場を回転させるもので、操作子３（操作手段）と、方向定位表示器５と、制御部７（方向定位手段）と、記憶部９と、可変抵抗器１１と、バスライン１３と、混合部１５（混合手段）と、音場回転部１７（音場回転手段）と、出力部１９（出力手段）とを備えている。
【００２２】
操作子３（３ａ、３ｂ、・・・）は、ジョイスティック等のレバー状のデバイスと、キーボード、マウス等のデバイスとによって構成されており、音源の位置を示す二次元座標および音源の移動する軌跡を入力するためのものである。この操作子３のジョイスティック、キーボードおよびマウスが当該音声調整卓１を操作する操作者によって操作された場合、当該操作子３から方向定位表示器５と、制御部７と、音場回転部１７に操作信号が出力される。
【００２３】
この操作子３は、方向定位表示器５に表示される各種スイッチ（詳細は後記）を、操作する役割を果たすものである。例えば、方向定位表示器５に表示されるボタン（ボタンの画像オブジェクト）を押下したり、表示されるつまみ（つまみの画像オブジェクト）をスライドしたり、表示されるダイヤル（ダイヤルの画像オブジェクト）を回転させたりすることができる。
【００２４】
なお、この実施の形態では、音声調整卓１に入力される音響信号を１つしか図示していないが、実際には、複数の音源から発せられた音響信号が入力されており、各音響信号を操作子３から出力された操作信号に従って、同様に処理している。つまり、ここでは図示を省略しているが、音響信号毎に制御部７と、記憶部９と、可変抵抗器１１とが備えられていることになる。
【００２５】
方向定位表示器５は、操作子３から出力された操作信号に基づいて、聴取者の位置と、当該聴取者の周囲に配置されている複数のスピーカの位置との関係を表示画面上に表示すると共に、音源が移動した場合に、音源が移動した軌跡を表示するものである。
【００２６】
また、この方向定位表示器５は、当該音声調整卓１の操作者に操作させる各種のスイッチ（方向定位表示器５の表示画面上に擬似的に表示させたもの）を表示し、このスイッチを操作子３からの操作信号に基づいて、機能させるものである。例えば、各種のスイッチには、音響信号の音量レベルを、つまみをスライドさせることで調整する調整スイッチ（スライダ）や、音場回転部１７で、音場を回転させるジョグダイヤル等が挙げられる。なお、この方向定位表示器５に表示される表示画面については、後記する（図７を用いて一例を後で説明する）。
【００２７】
制御部７は、操作子３から入力された、音源（定位させる音像）の位置を示す二次元座標と、記憶部９に記憶されているデータとに基づいて、当該音声調整卓１の制御（音響信号それぞれの処理）を司るもので、角度関数設定手段７ａと、出力音算出手段７ｂとを備えている。
【００２８】
角度関数設定手段７ａは、入力された二次元座標（ｘ，ｙ）と、記憶部９に記憶されている角度関数データと基準点データとに基づいて、角度関数を設定するものである。この角度関数は、基準点で直交する基準線（ｘ軸、ｙ軸）と、基準点から入力された二次元座標までを結んだ直線とによってなす角度θをパラメータとしたものである。また、この角度関数において、音像の方向は、角度θで表される。
【００２９】
角度関数データは、角度θによって、定義される角度関数のサンプルである。また、基準点データは、聴取者の位置を示す（ｘ，ｙ）座標で表されるものである。
【００３０】
出力音算出手段７ｂは、角度関数設定手段７ａで設定された角度関数と、記憶部９に記憶されているスピーカ位置データ（スピーカの位置情報）とに基づいて、複数のスピーカのそれぞれから出力させる出力音の音量レベルを算出するものである。なお、この出力音算出手段７ｂでは、ファンタム音像（再生音場）を定位させるために、少なくとも３つのスピーカから出力音を出すように、各スピーカへの出力が算出される。
【００３１】
なお、この制御部７では、音源の位置が移動した場合に、この音源の移動に伴って、逐次、角度関数設定手段７ａにより記憶部９から角度関数データを読み込んで、角度関数を設定し直し、出力音算出手段７ｂにより出力音の音量レベルを算出して、可変抵抗器１１に出力する。
【００３２】
記憶部９は、不揮発性メモリ、ハードディスク等によって構成されており、角度関数データと、基準点データと、スピーカ位置データと、オートメーションデータとを記憶（保持）しているものである。
【００３３】
スピーカ位置データは、スピーカが配置されている位置を、二次元座標上の座標によって表したものである。
オートメーションデータは、操作子３によって入力された音響信号の位置情報と、操作子３によって操作された結果（当該音声調整卓１の操作者が操作した結果）による操作信号に基づいて、制御部７で制御された結果を、当該音響信号毎に記憶したものである。
【００３４】
可変抵抗器１１は、出力チャンネル数（接続されているスピーカ数）に対応した数（ここでは、８つ）の可変抵抗（１１ａ〜１１ｈ）を備えているもので、音源から発せられた音響信号が入力され、この音響信号を、制御部７の出力音算出手段７ｂで算出された音量レベルの出力音として、バスライン１３に出力するものである。
【００３５】
この可変抵抗器１１の可変抵抗１１ａ〜１１ｈは、各スピーカの出力に対応しており、可変抵抗１１ａはＬ（左スピーカ）に、可変抵抗１１ｂはＣ（センタースピーカ）に、可変抵抗１１ｃはＲ（右スピーカ）に、可変抵抗１１ｄはＨＬ（水平左スピーカ）に、可変抵抗１１ｅはＨＲ（水平右スピーカ）に、可変抵抗１１ｆはＬＳ（左サラウンドスピーカ）に、可変抵抗１１ｇはＢＣ（バックスピーカ）に、可変抵抗１１ｈはＲＳ（右サラウンドスピーカ）にそれぞれ対応している。
【００３６】
この可変抵抗器１１では、従来のパン回路と違って、各スピーカに接続されるバスライン１３のそれぞれのバスに出力する出力音を別々（独立）に調整（減衰）させている。
【００３７】
バスライン１３は、可変抵抗器１１によって出力が制御された（音響信号が割り振られて減衰された）出力音それぞれを、各スピーカ（Ｌ、Ｃ、Ｒ、ＨＬ、ＨＲ、ＬＳ、ＢＣ、ＲＳ）に送出するものである。
【００３８】
混合部１５は、複数の音響信号（図示を省略した他の音響信号を含む）が可変抵抗器１１で割り当てられて減衰された出力音同士を混合するものである。つまり、混合部１５は、複数の音響信号が、それぞれ図示を省略した制御部による制御により、図示を省略した可変抵抗器で各スピーカ（Ｌ、Ｃ、Ｒ、ＨＬ、ＨＲ、ＬＳ、ＢＣ、ＲＳ）に割り当てられ減衰された、それぞれの出力音を加算するものである。なお、この混合部１５で混合された出力音を混合出力音とする。
【００３９】
音場回転部１７は、操作子３から出力された操作信号に基づいて、混合部１５で混合された混合出力音を任意の回転角度に回転させるものである。この音場回転部１７は、混合部１５で混合された混合出力音それぞれを２つの成分に分岐して、分岐した２つの成分を各スピーカ（Ｌ、Ｃ、Ｒ、ＨＬ、ＨＲ、ＬＳ、ＢＣ、ＲＳ）に割り当てて、割り当てられた各成分の和（割当音）を各スピーカ（Ｌ、Ｃ、Ｒ、ＨＬ、ＨＲ、ＬＳ、ＢＣ、ＲＳ）の出力音とするものである。
【００４０】
例えば、音場の回転角度を３０°とした場合、各スピーカ（Ｌ、Ｃ、Ｒ、ＨＬ、ＨＲ、ＬＳ、ＢＣ、ＲＳ）における２つのスピーカ間の角度は４５°（８個のスピーカを等角度に配置した場合、３６０°／８）であるので、混合出力音を分岐する比率は、３０／４５となり、分岐する一方は混合出力音の３０／４５の音量レベル、分岐する他方は混合出力音の１５／４５の音量レベルとなる。
【００４１】
この音場回転部１７の詳細な構成を図２に示す。この図２に示すように、音場回転部１７は、複数のＰＡＮ回路１７ａ（１７ａ１〜１７ａ８）と、複数の出力割当回路１７ｂ（１７ｂ１〜１７ｂ８）とから構成されている。
【００４２】
ＰＡＮ回路１７ａ（１７ａ１〜１７ａ８）は、操作子３から出力された操作信号（この場合は回転する回転角度を指示するもの）に基づいて、混合部１５で混合された混合出力音を、回転角度と各スピーカの配置されている角度との比率に基づいて、Ｘ（分岐音Ｘ）、Ｙ（分岐音Ｙ）に分岐するものである。
【００４３】
出力割当回路１７ｂ（１７ｂ１〜１７ｂ８）は、いわゆるバスセレクタであり、ＰＡＮ回路１７ａで分岐されたＸ（分岐音Ｘ）、Ｙ（分岐音Ｙ）を出力させるスピーカ（Ｌ、Ｃ、Ｒ、ＨＬ、ＨＲ、ＬＳ、ＢＣ、ＲＳ）に割り当てる（割り振る）ものである。
【００４４】
ここで、音場回転部１７で音場が回転されたＸ（分岐音Ｘ）、Ｙ（分岐音Ｙ）の和を割当音（Ｌ′、Ｃ′、Ｒ′、ＨＬ′、ＨＲ′、ＬＳ′、ＢＣ′、ＲＳ′）とする。
【００４５】
また、音場回転部１７では、操作子３による操作（操作子３から出力された操作信号）によって、入力された混合出力音を出力させるスピーカ（Ｌ、Ｃ、Ｒ、ＨＬ、ＨＲ、ＬＳ、ＢＣ、ＲＳ）の間隔を一定に保って、予め設定した基準点（聴取位置）を中心に、音場を回転させる。例えば、スピーカＬとスピーカＣとの間に音像が集中する音場を、９０°右回転させることによって、スピーカＣとスピーカＲとの間に音像が集中する音場とすることができる。さらに、音場回転部１７では、スピーカ（Ｌ、Ｃ、Ｒ、ＨＬ、ＨＲ、ＬＳ、ＢＣ、ＲＳ）が配置されている間隔が異なっている場合、これらの間隔（関係）を維持して音場を回転させる。
【００４６】
さらに、この音場回転部１７では、操作子３による操作（操作子３から出力された操作信号）によって、入力された混合音を出力させる箇所（スピーカ（Ｌ、Ｃ、Ｒ、ＨＬ、ＨＲ、ＬＳ、ＢＣ、ＲＳ））の間隔を等間隔に保って、音場を任意の直線軸上（例えば、２つのスピーカを結ぶ直線上）に写像させて、且つ、当該音場を回転させる。例えば、スピーカ（Ｌ、Ｃ、Ｒ、ＨＬ、ＨＲ、ＬＳ、ＢＣ、ＲＳ）が配置されている間隔が等間隔の場合、この間隔（関係）を維持して音場を回転させる。
【００４７】
図１に戻って音声調整卓１の構成の説明を続ける。
出力部１９は、音場回転部１７で割り当てられた割当音（Ｌ′、Ｃ′、Ｒ′、ＨＬ′、ＨＲ′、ＬＳ′、ＢＣ′、ＲＳ′）を、各スピーカ（Ｌ、Ｃ、Ｒ、ＨＬ、ＨＲ、ＬＳ、ＢＣ、ＲＳ）に出力させるものである。
【００４８】
この音声調整卓１によれば、制御部７により、音源の位置を示す位置情報に基づいて、音源の音像が方向定位され、混合部１５によって、制御部７で定位された音像が複数混合されて音場とされ、音場回転部１７によって、混合部１５で混合された音場が回転されて、出力部１９によって、回転された音場が、複数の出力音として、スピーカそれぞれから出力される。このため、音像の定位をするのに要すのは位置情報だけであり、複数の音像を混合してから音場の回転を行っているので、音像の定位、音場の回転を行う際の制御量を抑制することができる。
【００４９】
また、この音声調整卓１によれば、操作子３の操作により、音場回転部１７で、一定の間隔に、出力音を出力させる箇所を絞って音場が回転されており、各音像位置が限定されるので、当該音像位置それぞれを割り出す際の計算量を抑制することができ、音場を回転させる際の処理時間を削減することができる。
【００５０】
さらに、この音声調整卓１によれば、操作子３の操作により、音場回転部１７で、音場が任意の直線上に写像され、等間隔に出力音を出力させる箇所を絞って音場が回転されており、各音像位置が限定されるので、当該音像位置それぞれを割り出す際の計算量を抑制することができ、音場を回転させる際の処理時間を削減することができる。
【００５１】
（音声調整卓の動作）
次に、図２に示すフローチャートを参照して、音声調整卓１の動作について説明する（適宜、図１参照）。
まず、音声調整卓１には、操作子３によって、音源の位置を示す二次元座標が入力される（Ｓ１）。すると、音声調整卓１は、制御部７の角度関数設定手段７ａによって、記憶部９から基準点データを読み出す（Ｓ２）と共に、角度関数データを読み出す（Ｓ３）。なお、この際に、方向定位表示器５には、聴取者の位置と、スピーカの位置との関係を示すグラフが表示されると共に、音源の位置を示す（ｘ，ｙ）座標が表示されている。
【００５２】
そして、音声調整卓１は、制御部７の角度関数設定手段７ａによって、角度関数を設定し（Ｓ４）、音源が移動したか、つまり、操作子３から、音源の移動を示す軌跡が描かれたことを示す操作信号が出力されたか否かを判定する（Ｓ５）。音源が移動していないと判定しなかった場合（Ｓ５、Ｙｅｓ）には、音声調整卓１は、方向定位表示器５の表示を変更させ、つまり、音源が移動した軌跡を表示させ（Ｓ６）、Ｓ３に戻る（再び、角度関数データを読み出す）。
【００５３】
音源が移動していないと判定した場合（Ｓ５、Ｎｏ）、音声調整卓１は、制御部７の出力音算出手段７ｂによって出力音を算出し（Ｓ７）、算出された出力音が各スピーカ（Ｌ、Ｃ、Ｒ、ＨＬ、ＨＲ、ＬＳ、ＢＣ、ＲＳ）から出力されるように、可変抵抗器１１の可変抵抗１１ａ〜１１ｈの抵抗値を変化させて、入力された音響信号を変更（減衰）して出力する（Ｓ８）。
【００５４】
すると、音声調整卓１は、すべての音源について（すべての音源から発せられた音響信号）処理が完了したか否かを判定し（Ｓ９）、完了したと判定しない場合（Ｓ９、Ｎｏ）には、Ｓ１からの処理が行われ、完了したと判定した場合（Ｓ９、Ｙｅｓ）には、音声調整卓１は、混合部１５によって、バスライン１３から送出される出力音同士を混合する（Ｓ１０）。
【００５５】
そして、音声調整卓１は、音場を回転するか否か（当該音声調整卓１の操作者が操作子３を使用することにより、音場を回転させる操作信号が操作子３から出力されたか）を判定し（Ｓ１１）、音場を回転すると判定した場合（Ｓ１１、Ｙｅｓ）には、音場回転部１７によって、音場を回転させる（Ｓ１２）。そして、音声調整卓１は、回転された音場を形成するように、出力部１９で混合音を分岐し、複数のスピーカそれぞれに出力する割当音として出力する。
【００５６】
Ｓ１１にて音場を回転すると判定しなかった場合（Ｓ１１、Ｎｏ）、混合部１５で混合された混合音が出力部１９から出力する。
【００５７】
（４つのスピーカ出力の場合の音場回転について）
次に、図４から図６を参照して、音声調整卓１の出力部１９に接続されているスピーカが４つ（Ｌ（左スピーカ）、Ｒ（右スピーカ）、ＬＳ（左サラウンドスピーカ）、ＲＳ（右サラウンドスピーカ））の場合の音場回転について説明する（適宜、図１参照）。
【００５８】
図４は、４つのスピーカの配置と回転角度について説明した図である。この図４に示すように、Ｌ（左スピーカ）を基準、Ｌ＝０°とし、時計回りに音場を回転させると、Ｒ＝Ｌ−９０°、ＬＳ＝Ｌ＋９０°、ＲＳ＝Ｌ＋１８０°となり、Ｌ（左スピーカ）の関数と捉えることができる。
【００５９】
図５は、４つのスピーカ出力の音場回転部１７の構成を示したものである。この図５に示すように、４つのスピーカ出力の音場回転部１７は、４つのＰＡＮ回路１７ａと、１つの出力割当回路１７ｂとによって構成されており、出力割当回路１７ｂの制御（音場の回転）が、操作子３を使用して、方向定位表示器５に表示されるジョグダイヤルを回転させることによって行われる。
【００６０】
図６は、４つのスピーカ出力の音場回転部１７の回路配線を示したものである。この図６に示すように、比率Ｘ、１−Ｘ（Ｙ）として、それぞれ、Ｌ（左スピーカ）用の混合音、Ｒ（右スピーカ）用の混合音、ＬＳ（左サラウンドスピーカ）用の混合音、ＲＳ（右
サラウンドスピーカ）用の混合音が分岐され、出力割当回路１７ｂの各接点Ａ、Ｂ、Ｃ、Ｄの切替で、出力される割当音が決定される。各接点の切替がＯＮとなるのは、Ａ接点では０°≦θ＜９０°であり、Ｂ接点では９０°≦θ＜１８０°であり、Ｃ接点では１８０°≦θ＜２７０°であり、Ｄ接点では２７０°≦θ＜３６０°である。
【００６１】
（表示器に表示される表示画像について）
次に、図７を参照して、方向定位表示器５に表示される表示画像（スライダ等）について説明する（適宜、図１参照）。
図７は、方向定位表示器５に表示されている表示画像であり、これらの表示画像は、パーソナルコンピュータで採用されている「ウインドウ」と同様の機能を有しており、図７がメインウインドウを示したものである。
【００６２】
図７に示すように、メインウインドウでは、「ＦＩＬＥ」名で編集している音響信号ファイルの名前を表示して、反射音の送りを調整する「ＡＵＸ」、距離感を調整する「ＤＩＳＴＡＮＣＥ」、減衰レベルを調整する「ＬＥＶＥＬ」の時間スライダと、自動的にパン制御をする「ＡＵＴＯ」のジョグダイヤルと、開始時刻を示す「ＳＴＡＲＴ」とが表示されている。
【００６３】
以上、本発明の実施形態について説明したが、本発明は前記実施形態には限定されない。例えば、本実施形態では、音声調整卓１として説明したが、この音声調整卓１の各構成の処理を汎用的なコンピュータ言語で記述したプログラム（音声調整プログラム）として捉えることも可能である。この場合、音声調整卓１と同様の効果を得ることができる。
【図面の簡単な説明】
【００６４】
【図１】実施形態に係る音声調整卓のブロック図である。
【図２】図１に示した音声調整卓の音場回転部のブロック図である。
【図３】図１に示した音声調整卓の動作を説明したフローチャートである。
【図４】４つのスピーカ出力と回転角度について説明するための図である。
【図５】４つのスピーカ出力の音場回転部を説明するための図である。
【図６】４つのスピーカ出力の音場回転部の回路配線を説明するための図である。
【図７】方向定位表示器に表示されるウインドウ（メインウインドウ）を説明するための図である。
【図８】従来の音場回転装置の音場回転部のブロック図である。
【符号の説明】
【００６５】
１      音声調整卓
３      操作子（操作手段）
５      方向定位表示器
７      制御部（方向定位手段）
９      記憶部
１１    可変抵抗器
１３    バスライン
１５    混合部（混合手段）
１７    音場回転部（音場回転手段）
１９    出力部（出力手段）
【図１】
2005223637.tif 000003
【図２】
2005223637.tif 000004
【図３】
2005223637.tif 000005
【図４】
2005223637.tif 000006
【図５】
2005223637.tif 000007
【図６】
2005223637.tif 000008
【図７】
2005223637.tif 000009
【図８】
2005223637.tif 000010